(57)【特許請求の範囲】
【請求項１】
被加熱物を誘導加熱する加熱コイルと、
前記加熱コイルの上部に設け前記被加熱物を載置するためのトッププレートと、
前記トッププレートの下部には、前記加熱コイルの加熱出力を制御する制御部と、前記加熱コイルの加熱時間を制御する時間制御部とを備え、
前記トッププレートには、前記被加熱物を加熱する設定火力を表示する第１の表示部と、前記第１の表示部の近傍に配置され火力設定を行う第１の操作部と、加熱温度の表示と加熱時間の表示を同じ領域内で適宜切り替えて表示する第２の表示部と、前記第２の表示部の近傍に配置され加熱温度設定とタイマ設定を行う第２の操作部とを備え、
前記第２の表示部において加熱温度が表示されている際には、前記第２の操作部で加熱温度設定ができるとともに、前記第２の表示部においてタイマ設定時間が表示されている際には、前記第２の操作部でタイマ設定ができるようにし、かつ、
前記第１の表示部に表示はされておらず、前記第２の表示部には表示がされている際は、前記第２の表示部に表示されている設定を前記第１の操作部でも前記第２の操作部でも設定でき、前記第１の表示部も前記第２の表示部も表示されている際は、前記第１の表示部に表示されている設定は前記第１の操作部で設定し、前記第２の表示部に表示されている設定は前記第２の操作部で設定できるようにした誘導加熱調理器。
【請求項２】
前記第２の操作部は、前記第２の表示部より手前側に位置する請求項１に記載の誘導加熱調理器。
【請求項３】
前記第２の操作部は、表示切替スイッチを有する請求項１または２に記載の誘導加熱調理器。
【請求項４】
前記第２の表示部は、異常表示を行う請求項１〜３のいずれか１項に記載の誘導加熱調理器。
【請求項５】
炊飯、湯沸し、おかゆ等の自動調理機能を有する請求項１〜４のいずれか１項に記載の誘導加熱調理器。
【請求項６】
前記第２の表示部は、現在の温度を表示する請求項１〜５のいずれか１項に記載の誘導加熱調理器。
【発明の詳細な説明】
【技術分野】
【０００１】
本発明は、家庭用または業務用で使用される誘導加熱調理器に関するものである。
【背景技術】
【０００２】
近年、誘導加熱調理器は安全・清潔・高効率という優れた特徴が認知され、一般家庭のキッチンや業務用等に広く普及してきている。
【０００３】
また、この種の誘導加熱調理器はトッププレート上に火力設定等の操作命令を入力する上操作部と、トッププレート以外の場所に加熱温度設定や自動調理等の操作命令を入力する主操作部を設け操作性を向上させたものがある（例えば、特許文献１参照）。また、本体の前面垂直面部に操作命令を入力する操作部と、トッププレート上に設定状態を棒グラフで表し視覚性を向上させた表示部を設けたものもある（例えば、特許文献２参照）。
【特許文献１】特開２００３−２７９０５５号公報
【特許文献２】特開２００３−１５７９６０号公報
【発明の開示】
【発明が解決しようとする課題】
【０００４】
しかしながら、前記従来の構成では、加熱温度を設定する際、被加熱物と加熱温度を設定する操作部と加熱温度の表示されている表示部が離れたところに位置しているので、被加熱物と操作部と表示部を見ながら調理をしなければいけないため操作性が悪い。さらに、自動調理機能が付加され、操作や表示がわかりにくくなっており、使い勝手が悪いという課題を有していた。
【０００５】
本発明は、前記従来の課題を解決するもので、加熱温度を設定する際、加熱温度を設定する操作部の操作性をよくし、使い勝手のよい誘導加熱調理器を提供することを目的とする。
【課題を解決するための手段】
【０００６】
前記従来の課題を解決するために、本発明の誘導加熱調理器は、被加熱物を誘導加熱する加熱コイルと、加熱コイルの上部に設け被加熱物を載置するためのトッププレートと、前記トッププレートの下部には、加熱コイルの加熱出力を制御する制御部と、加熱コイルの加熱時間を制御する時間制御部とを備え、前記トッププレートには、被加熱物を加熱する設定火力を表示する第１の表示部と、第１の表示部の近傍に配置され火力設定を行う第１の操作部と、加熱温度の表示と加熱時間の表示を同じ領域内で適宜切り替えて表示する第２の表示部と、第２の表示部の近傍に配置され加熱温度設定とタイマ設定を行う第２の操作部とを備えることによって、第２の表示部において加熱温度が表示されている際には、第２の操作部で加熱温度設定ができるとともに、第２の表示部においてタイマ設定時間が表示されている際には、第２の操作部でタイマ設定ができるようにし、かつ、前記第１の表示部に表示はされておらず、前記第２の表示部には表示がされている際は、前記第２の表示部に表示されている設定を前記第１の操作部でも前記第２の操作部でも設定でき、前記第１の表示部も前記第２の表示部も表示されている際は、前記第１の表示部に表示されている設定は前記第１の操作部で設定し、前記第２の表示部に表示されている設定は前記第２の操作部で設定できるようにしたものである。
【０００７】
これによって、加熱温度を設定する際、加熱温度を設定する操作部の操作性がよくなり、使い勝手がよくなる。
【発明の効果】
【０００８】
本発明の誘導加熱調理器は、加熱温度の設定を行う操作部を加熱温度の表示部の近傍に設けることにより、操作性がよくなり、使い勝手をよくすることができる。
【発明を実施するための最良の形態】
【０００９】
第１の発明は、被加熱物を誘導加熱する加熱コイルと、加熱コイルの上部に設け被加熱物を載置するためのトッププレートと、前記トッププレートの下部には、加熱コイルの加熱出力を制御する制御部と、加熱コイルの加熱時間を制御する時間制御部とを備え、前記トッププレートには、被加熱物を加熱する設定火力を表示する第１の表示部と、第１の表示部の近傍に配置され火力設定を行う第１の操作部と、加熱温度の表示と加熱時間の表示を同じ領域内で適宜切り替えて表示する第２の表示部と、第２の表示部の近傍に配置され加熱温度設定とタイマ設定を行う第２の操作部とを備え、第２の表示部において加熱温度が表示されている際には、第２の操作部で加熱温度設定ができ、第２の表示部においてタイマ設定時間が表示されている際には、第２の操作部でタイマ設定ができるようにし、かつ、前記第１の表示部に表示はされておらず、前記第２の表示部には表示がされている際は、前記第２の表示部に表示されている設定を前記第１の操作部でも前記第２の操作部でも設定でき、前記第１の表示部も前記第２の表示部も表示されている際は、前記第１の表示部に表示されている設定は前記第１の操作部で設定し、前記第２の表示部に表示されている設定は前記第２の操作部で設定できるようにすることにより、加熱温度を設定する際、加熱温度を設定する操作部の操作性がよくなり、使い勝手をよくすることができる。また、使用者が混乱することなく操作することができ、使い勝手をよくすることができる。
【００１１】
第２の発明は、特に、第１の発明である第２の操作部を、第２の表示部より手前側に設けるとすることにより、加熱温度を設定する際、加熱温度を設定する操作部の操作性がよくなり、使い勝手をよくすることができる。
【００１２】
第３の発明は、特に、第１または第２の発明である第２の操作部に、表示切替スイッチを設けることにより、第２の表示部に加熱温度と加熱時間の表示を同じ領域内で適宜切り替えて表示させることができ、表示されている設定の変更を行うことができるので、使用者の意図に応じて設定状態の確認ができ、使用者は混乱することなく適切な操作を行うことができる。
【００１３】
第４の発明は、特に、第１〜３のいずれか１つの発明である第２の表示部に、異常表示をさせるとすることにより、異常が発生した際に、使用者が異常状態を認知することができ、安全性を確保できるとともに、第２の操作部にある表示切替スイッチによって、加熱動作状態または異常状態の表示を同じ領域内で適宜切り替えて表示させることができ、表示されている設定の変更を行うことができるので、使用者の意図に応じて動作状態の確認ができ、使用者は混乱することなく適切な操作を行うことができる。
【００１４】
第５の発明は、特に、第１〜４のいずれか１つの発明において、炊飯、湯沸し、おかゆ等の自動調理機能を有することにより、より簡単な操作でスムーズに調理ができるとともに、第２の操作部にある表示切替スイッチによって、加熱動作状態または自動調理設定の表示を第２の表示部に適宜切り替えて表示させることができ、表示されている設定の変更を行うことができるので、使用者の意図に応じて動作状態の確認ができ、使用者は混乱することなく適切な操作を行うことができる。
【００１５】
第６の発明は、特に、第１〜５のいずれか１つの発明である第２の表示部に、現在の温
度を表示させることにより、設定加熱温度と現在の温度の差を確認できるとともに、第２の操作部にある表示切替スイッチによって加熱動作状態または現在温度の表示を同じ領域内で適宜切り替えて表示させることができ、表示されている設定の変更を行うことができるので、使用者の意図に応じて動作状態の確認ができ、使用者は混乱することなく適切な操作を行うことができる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における誘導加熱調理器のブロック図を示すものである。
【００１８】
図１において、被加熱物１と、被加熱物１を載せるトッププレート２と、トッププレート２の下部には、高周波電流を流し被加熱物１の底面を誘導加熱する加熱コイル３と、加熱コイル３に流れる高周波電流の大きさを制御し被加熱物１を加熱する際の加熱出力を制御する制御部４と、加熱時間を制御する時間制御部５が設けられている。また、トッププレート２の表面には複数のタッチキーにより構成された第１の操作部６と、複数のタッチキーにより構成された第２の操作部７と、第１の操作部６で設定した設定状態に対応した表示をＬＣＤやＬＥＤ等の表示素子などで構成した第１の表示部８と、第２の操作部７で設定した設定状態に対応した表示をＬＣＤやＬＥＤ等の表示素子などで構成した第２の表示部９が設けられている。
【００１９】
また、図２は、本発明の第１の実施の形態における誘導加熱調理器の第１の操作部６、第２の操作部７と、第１の表示部８、第２の表示部９の外観図を示すものである。
【００２０】
図２において、第１の操作部６には、火力設定を行うダウンキー６ａ、アップキー６ｂがあり、第２の操作部７には、タイマ設定と加熱温度設定を行うマイナスキー７ａ、プラスキー７ｂ、表示切替キー７ｃがある。第１の操作部６の近傍には、火力設定を表示する第１の表示部８が配置されており、第２の操作部７の近傍には、タイマや温度等を表示する第２の表示部９が配置されてある。
【００２１】
以上のように構成された誘導加熱調理器について、以下その動作、作用を図３、図４を用いて説明する。
【００２２】
図３、図４は、第２の操作部７および第２の表示部９の動作を示すフローチャートである。
【００２３】
図３において、まず、ステップ１０１において電源スイッチ（図示せず）をオンする。次に、ステップ１０２において第２の操作部７のマイナスキー７ａあるいはプラスキー７ｂが押されたかどうかを判定する。第２の操作部７のマイナスキー７ａあるいはプラスキー７ｂが押された場合、ステップ１０３に移行し、第２の表示部９に設定されたタイマ時間を表示する。次に、ステップ１０４において、加熱切／入キー１１が押されたかどうかを判定する。加熱切／入キー１１が押された場合、ステップ１０５に移行し、加熱を開始する。ステップ１０５において加熱を開始したら、ステップ１０６に移行し、設定されたタイマ時間を経過したかどうかを判定する。設定されたタイマ時間を経過した場合、ステップ１０８に移行し、加熱を停止する。設定されたタイマ時間を経過してない場合、ステップ１０７に移行し、加熱切／入キー１１が押されたかどうかを判定する。加熱切／入キー１１が押された場合、ステップ１０８に移行し、加熱を停止する。加熱切／入キー１１が押されていない場合、ステップ１０６に戻る。
【００２４】
図４において、まず、ステップ１０９において電源スイッチ（図示せず）をオンする。次に、ステップ１１０においてメニューキー１０で揚げ物モードに設定する。次に、ステップ１１１において、加熱切／入キー１１が押されたかどうかを判定する。加熱切／入キー１１が押された場合、ステップ１１２に移行し、加熱を開始する。ステップ１１２において加熱を開始したら、ステップ１１３に移行し、第２の表示部９に設定加熱温度を表示する。次に、ステップ１１４において第２の操作部７のマイナスキー７ａあるいはプラスキー７ｂが押されたかどうかを判定する。第２の操作部７のマイナスキー７ａあるいはプラスキー７ｂが押された場合、ステップ１１５に移行し、設定加熱温度を更新し、第２の表示部９に表示しなおす。次に、ステップ１１６において加熱切／入キー１１が押されたかどうかを判定する。加熱切／入キー１１が押された場合、ステップ１１７に移行し、加熱を停止する。加熱切／入キー１１が押されていない場合、ステップ１１４に戻る。
【００２５】
以上のように、本実施の形態において、加熱温度設定を行う第２の操作部７を加熱温度の表示を行う第２の表示部９の近傍に設けることにより、操作性がよくなり、使い勝手をよくすることができる。
【００２６】
なお、第１の表示部８に表示がされておらず、第２の表示部９には表示がされている際は、第２の表示部９に表示されている設定を第１の操作部６でも第２の操作部７でも設定できるようにする。例えば、揚げ物モードでは、第１の表示部８には表示はされず、第２の表示部９には設定加熱温度が表示されており、加熱温度設定を行う際は、第１の操作部６でも第２の操作部７でも加熱温度設定を行うことができ、自動炊飯モードでは、第１の表示部８には表示はされず、第２の表示部９にはカップ数が表示され、カップ数を設定する際は、第１の操作部６でも第２の操作部７でもカップ数を設定することができる。また、第１の表示部８も第２の表示部９も表示されている際は、第１の表示部８に表示されている設定は第１の操作部６で設定し、第２の表示部９に表示されている設定は第２の操作部７で設定できるようにする。例えば、タイマ加熱モードでは、第１の表示部８には設定火力が表示され、第２の表示部９にはタイマ設定時間が表示されており、火力設定を行う際は、第１の操作部６で火力設定を行い、タイマ設定を行う際は、第２の操作部７でタイマ設定を行う。
【００２７】
以上のように、第１の表示部８に表示がされておらず、第２の表示部９には表示がされている際は、第２の表示部９に表示されている設定を第１の操作部６でも第２の操作部７でも設定できるようにし、第１の表示部８も第２の表示部９も表示されている際は、第１の表示部８に表示されている設定は第１の操作部６で設定し、第２の表示部９に表示されている設定は第２の操作部７で設定できるようにすることにより、使用者が混乱することなく操作することができ、使い勝手をよくすることができる。
【００２８】
なお、使用者の立ち位置を手前側として、第２の操作部７は、奥側の第２の表示部９より手前側に位置するものであってもよい。これにより、加熱温度を設定する際、加熱温度を設定する第２の操作部７の操作性がよくなり、使い勝手をよくすることができる。
【００２９】
なお、第２の表示部９は、異常表示や自動調理の設定表示、現在の温度表示を行うことができ、第２の操作部７の表示切替キー７ｃの操作によって、同じ領域内で適宜切り替えて表示させることができる。
【００３０】
また、本実施の形態では加熱コイルが２つの場合を示したが１つまたは３つ以上あってもよい。
【産業上の利用可能性】
【００３１】
以上のように、本発明にかかる誘導加熱調理器は、加熱温度設定を行う操作部を加熱温度の表示部の近傍に設けることにより、操作性がよくなり、使い勝手をよくすることができるので、誘導加熱調理器、高周波加熱調理器およびハロゲン調理器などの表示部と操作部を有する調理器などの用途にも適用できる。
【図面の簡単な説明】
【００３２】
【図１】本発明の実施の形態１における誘導加熱調理器のブロック図
【図２】本発明の実施の形態１における誘導加熱調理器の外観図
【図３】本発明の実施の形態１における誘導加熱調理器のタイマ加熱操作のフローチャート
【図４】本発明の実施の形態１における誘導加熱調理器の加熱温度設定操作のフローチャート
【符号の説明】
【００３３】
１  被加熱物
２  トッププレート
３  加熱コイル
４  制御部
５  時間制御部
６  第１の操作部
６ａ  ダウンキー
６ｂ  アップキー
７  第２の操作部
７ａ  マイナスキー
７ｂ  プラスキー
７ｃ  表示切替キー
８  第１の表示部
９  第２の表示部
１０  メニューキー
１１  加熱切／入キー
【図１】
0004992613.tif 000002
【図２】
0004992613.tif 000003
【図３】
0004992613.tif 000004
【図４】
0004992613.tif 000005